(57)【要約】【課題】壁の直近までデッキ材を配置する施工を行うことができて、かつ傷んだデッキ材の交換をも簡単に行うことのできるウッドデッキを、簡単な構成によって提供すること。【解決手段】根太２０を、各デッキ材３０を受承する受け部２１を有したものとして金属板によって形成するとともに、この受け部２１上面に係止スリット２２を形成し、取付金具４０を、デッキ材３０の側面に固定される平板状の基部と、この基部の下部に連続的に形成されて、根太２０の係止スリット２２に係合する係止突起とを有したものとしたこと。【選択図】図７
2011099242.tif 000002
【特許請求の範囲】
【請求項１】
土台上に渡された根太に複数のデッキ材を取付金具によって取り付けたウッドデッキであって、
前記根太を、前記各デッキ材を受承する受け部を有したものとして金属板によって形成するとともに、この受け部上面に係止スリットを形成し、
前記取付金具を、前記デッキ材の側面に固定される平板状の基部と、この基部の下部に連続的に形成されて、前記根太の係止スリットに係合する係止突起とを有したものとしたことを特徴とするウッドデッキ。
【請求項２】
前記受け部上面に、さらに係止穴を形成したことを特徴とする請求項１に記載のウッドデッキ。
【請求項３】
前記根太の一本について前記受け部を複数形成するとともに、一つの受け部について前記係止スリットを形成し、他の受け部上面については係止穴を形成したことを特徴とする請求項１に記載のウッドデッキ。
【請求項４】
前記係止スリットの一部に、前記取付金具の係止突起が挿入できる挿入切欠を形成したことを特徴とする請求項１〜請求項３のいずれかに記載のウッドデッキ。
【請求項５】
前記係止穴の一部に、前記取付金具の係止突起が挿入できる挿入切欠を形成したことを特徴とする請求項２〜請求項４のいずれかに記載のウッドデッキ。
【請求項６】
前記取付金具の基部の一部に、前記デッキ材の側面に固定される金具固定部を設けたことを特徴とする請求項１〜請求項５のいずれかに記載のウッドデッキ。
【発明の詳細な説明】
【技術分野】
【０００１】
本発明は、ウッドデッキに関し、特に、施工や補修を簡単に行えるようにしたウッドデッキに関するものである。
【背景技術】
【０００２】
所謂ウッドデッキは、家屋の外に設置されて、家屋の一階床面とほぼ同じ床面を屋外に構成するものであり、履き物に履き替えて地面や土間に降りなくても、例えば洗濯物の干し場に部屋からそのまま出られる空間を構成する便利なものである。また、このようなウッドデッキは、土台上の根太に多数のデッキ材を取り付けただけの簡単なものであり、風雨に直接晒されることになる各デッキ材は、一定期間後に修理あるいは交換しなければならないものである。
【０００３】
また、この種のウッドデッキは、構造が簡単であるから、所謂「エクステリア用品」として個別に販売されることの多いものであり、専門の施工業者に限らず、素人の日曜大工用品としても持て囃されているものでもある。換言すれば、この種のウッドデッキは、素人でも自宅に備え付け施工が行える程度の簡単な構造のものである。
【０００４】
このため、この種のウッドデッキは、特許文献１等において数多くの提案が見られるが、何れも、素人でも施工できるように、種々な工夫が凝らされているのである。
【先行技術文献】
【特許文献】
【０００５】
【特許文献１】特開２００６−２０７３６３号公報、要約、選択図
【発明の概要】
【発明が解決しようとする課題】
【０００６】
特許文献１に記載されたウッドデッキは、「施工後の強度及び剛性を高めるとともに、施工時間の短縮及び手間の軽減を図り、さらに、高品質化と交換作業の容易化を実現する」ことを目的としてなされたもので、図１５にも示すように、「上面３ｕ…にＣ形チャンネル部４…を有する根太材３…と、側面２ａ…にスリット２ａｓ…を有するデッキ材２…と、スリット２ａｓ…に差し込み可能な係止頭部６ｈ…を有するボルト部材６…、及びＣ形チャンネル部４に収容し、かつ回り止めされるナット部材７…からなる固定具５…とを用意し、根太材３…を所定間隔おきに配するとともに、根太材３…の上面３ｕ…にデッキ材２…を交差するように並べて配し、Ｃ形チャンネル部４に収容したナット部材７…に対して、スリット２ａｓ…に係止頭部６ｈ…を差し込んだボルト部材６…を螺着する」という構成を有するものである。
【０００７】
この特許文献１の技術によれば、「ボルト部材６」の存在を、突き合わされた二枚のデッキ材の間から探し出すのは、ちょっと難しいのではないかと思われるものの、傷んだデッキ材の修理や交換を、その両側の「ボルト部材６」を外せば行えるから、便利であると思われる。
【０００８】
ところが、この種のウッドデッキは、上述したように、一階の床面から直接外に出られるようにするものであるから、図１にも示すように、家屋のどこかの壁に近接して設置されるものである。しかも、この種のウッドデッキは、家屋が完成した後に設置されることの多いものであるから、壁に近接させて一枚目のデッキ材を施工しようとする場合に、この壁が邪魔になって施工できない場合があり得る。例えば、図１５中の右側のデッキ材を、その直ぐ左側に存在している壁に近接させて施工しようとすると、「ボルト部材６の係止頭部６ｈ」が邪魔になって、当該デッキ材を壁に近接させることができず、デッキ材の側面と壁との間に隙間ができてしまうことになる。
【０００９】
それだけでなく、壁にデッキ材を近接させて根太上に固定しようとしても、壁が邪魔をするため、「ボルト部材６」のドライバー等による回転操作ができず、このことによっても、デッキ材の側面と壁との間に隙間ができてしまうことになるのである。
【００１０】
そこで、本発明者等は、デッキ材を壁の直近まで配置した施工が行えて、しかも傷んだデッキ材の交換をも簡単に行えるウッドデッキとするにはどうしたらよいか、について種々検討を重ねてきた結果、本発明を完成したのである。
【００１１】
すなわち、本発明の目的とするところは、壁の直近までデッキ材を配置する施工を行うことができて、かつ傷んだデッキ材の交換をも簡単に行うことのできるウッドデッキを、簡単な構成によって提供することにある。
【課題を解決するための手段】
【００１２】
以上の課題を解決するために、まず、請求項１に係る発明の採った手段は、後述する最良形態の説明中で使用する符号を付して説明すると、
「土台１０上に渡された根太２０に多数のデッキ材３０を取付金具４０によって取り付けたウッドデッキ１００であって、
根太２０を、各デッキ材３０を受承する受け部２１を有したものとして金属板によって形成するとともに、この受け部２１上面に係止スリット２２を形成し、
取付金具４０を、デッキ材３０の側面３１に固定される平板状の基部４１と、この基部４１の下部に連続的に形成されて、根太２０の係止スリット２２に係合する係止突起４２とを有したものとしたことを特徴とするウッドデッキ１００」
である。
【００１３】
すなわち、この請求項１に係るウッドデッキ１００は、図１に示すように、土台１０上の根太２０に多数のデッキ材３０を取り付けた構造のものであり、一部を家屋の壁２００に近接した状態で設置されるものである。なお、図１に示すウッドデッキ１００では、各デッキ材３０の周囲を飾り板５０によって覆ってあるが、この飾り板５０は必ずしも必要なものではなく、外したものとして構成されることもある。
【００１４】
さて、この請求項１に係るウッドデッキ１００を構成している根太２０は、図３〜図６に示すように、各デッキ材３０を受承する受け部２１を有したものとして金属板によって形成したものである。図３〜図６に示す根太２０は、一本について二本の受け部２１を有するものであるが、この請求項１に係るウッドデッキ１００では、図５及び図６の各（ａ）に示すように、一本であってもよいものである。そして、この受け部２１の上面には、図５及び図９に示すような係止スリット２２が形成してある。
【００１５】
金属板によって形成した根太２０は、図９にも示すように、根太２０の長手方向に沿った受け部２１を有しているが、各受け部２１は、図６にも示すように、当該根太２０の中央部の基板面から「山形状」に立ち上がるものとして折曲形成したものである。そして、この受け部２１の上面には、図５及び図９に示すように、上述した係止スリット２２が形成してある。
【００１６】
各係止スリット２２は、後述する実施形態では、デッキ材３０の幅程度の長さを有するものであり、これを形成していない部分を挟んで、根太２０の長手方向に直線状に形成したものである。そして、各係止スリット２２の幅は、次に述べる取付金具４０の差し込みができて、当該取付金具４０を９０度回転させれば、その係止突起４２による係止が行える程度のものである。具体的には、実施形態に係る取付金具４０の厚さが２．００ｍｍのとき、係止スリット２２の幅は５．５ｍｍである。
【００１７】
そして、この請求項１のウッドデッキ１００では、その取付金具４０が、図１０〜図１２に示すように、デッキ材３０の側面３１に固定される平板状の基部４１と、この基部４１の下部に連続的に形成されて、根太２０の係止スリット２２に係合する係止突起４２とを有したものとしてある。つまり、各取付金具４０は、図１２の（ｂ）に示すように、殆ど平板状のものである。
【００１８】
これらの取付金具４０は、次のようにして使用する。まず、各取付金具４０を係止スリット２２内に少し差し込んでから、その各係止突起４２が係止スリット２２の内側で係止できる位置で略９０度回転させる。そうすると、各取付金具４０は、例えば図１０に示すような状態、つまり、その基部４１が施工したいデッキ材３０の側面３１と平行状態となるから、基部４１をデッキ材３０の側面３１に固定するのである。この場合、基部４１に形成した釘穴４４を利用して釘６０や木ねじで、当該取付金具４０のデッキ材３０に対する固定を行ってもよいが、後述するように、取付金具４０自体に形成してある金具固定部４３を利用するようにしてもよい。
【００１９】
ここで重要なことは、デッキ材３０が根太２０に固定すべき一番最初のもので、壁２００に近接させる必要があるものである場合には、このデッキ材３０を、例えば図７に示すように、作業がし易くなる分だけの距離をおいて壁２００から引き離しておくことができることである。
【００２０】
つまり、最初のデッキ材３０を壁２００に近接させて施工する場合、壁２００から引き離しておいたデッキ材３０と壁２００との間に開口している係止スリット２２内に取付金具４０を差し込んで９０度回転させてから、この取付金具４０の基部４１を壁２００に向かっているデッキ材３０の側面３１に、釘６０などを使用して固定するのである。この取付金具４０の壁２００近傍でのセット及び固定作業、つまりハンマーの振り下ろしやドライバーの回転操作は、対象となっているデッキ材３０と壁２００との間に十分な空間が存在しているから、十分行える。
【００２１】
根太２０との連結を行っている取付金具４０のデッキ材３０に対する固定が済めば、つまり、実施例のように一枚のデッキ材３０を３本の根太２０によって支承する場合にあっては、３個の取付金具４０の固定が済めば、デッキ材３０全体を壁２００に近接させるのである。このとき、各取付金具４０の係止突起４２が各根太２０側の係止スリット２２内に係合したままの状態になっていて、各取付金具４０が各根太２０から外れることがないことは言うまでもない。なお、飾り板５０を使用する場合は、その固定は、当該デッキ材３０の取付作業の前に行っておくものである。
【００２２】
最初のデッキ材３０を壁２００に近接させた後に、今度は当該デッキ材３０の壁２００とは反対側の側面３１に対して、上述したのと同様にして取付金具４０による固定を行う。この反対側の側面３１に対する作業は、当該側面３１がデッキ材３０の幅分壁２００から離れているため、容易に行えることは当然である。また、各デッキ材３０についてその両方の側面３１について取付金具４０による固定を行わなければならないが、そうしないと、デッキ材３０が片側で浮いてしまうためである。
【００２３】
２番目のデッキ材３０の取付を行うには、図８の（ａ）に示すように、この２番目のデッキ材３０を最初のデッキ材３０から少し離した状態にしておいて壁２００側の側面３１への取付金具４０の固定を行い、これが済んだときに当該２番目のデッキ材３０を最初のデッキ材３０に近接させ、上述したのと同様にすればよい。以下、所定の枚数になるだけデッキ材３０の根太２０に対する固定を行い、最後に必要な飾り板５０の固定を行えば、当該ウッドデッキ１００の施工は完了するのである。
【００２４】
なお、一本の根太２０に二本以上の受け部２１があって、各受け部２１に係止スリット２２が形成してある場合には、取付金具４０の挿入位置を、一方の側面３１と他方の側面３１とに分けると良い。何故なら、二枚のデッキ材３０の間で、各取付金具４０が重ならないから、デッキ材３０の間に大きな隙間を形成しなくて済むからである。しかしながら、取付金具４０自体は薄く形成したものであるから、２枚の取付金具４０が両デッキ材３０の間で重なったとしても、それ程大きな問題とはならない。
【００２５】
さて、特定のデッキ材３０の交換を行いたい場合には、壁２００とは反対側端部にあるデッキ材３０から順に、壁２００とは反対側に移動させるのである。このとき、各取付金具４０は、根太２０の係止スリット２２に対して係止されてはいるが移動可能になっているから、特定のデッキ材３０に至るまでその操作を繰り返す。特定のデッキ材３０の周囲に十分な空間ができれば、各取付金具４０の取り外しを行って特定のデッキ材３０の交換を行えば、デッキ材３０の交換作業が容易に行える。勿論、新しいデッキ材３０については、取付金具４０による固定を前述したように行うのである。
【００２６】
なお、このデッキ材３０の交換作業を始める際に、少なくとも最初のデッキ材３０は根太２０から外さなければならないが、特定のデッキ材３０の交換後に再び取り付ければよい。
【００２７】
従って、この請求項１に係るウッドデッキ１００は、壁２００脇に対するデッキ材３０の取付が容易になっているし、傷んだデッキ材３０の交換をも簡単に行えるものとなっているのである。
【００２８】
また、上記課題を解決するために、請求項２に係る発明の採った手段は、上記請求項１に記載のウッドデッキ１００について、
「受け部２１上面に、さらに係止穴２３を形成したこと」
である。
【００２９】
すなわち、この請求項２に係るウッドデッキ１００は、図５及び図６の各（ａ）に示すように、係止スリット２２を形成した各受け部２１上面に、さらに係止穴２３を形成したものであり、この係止穴２３をも利用して、デッキ材３０の根太２０に対する取付金具４０による固定が行えるようにするものである。
【００３０】
各係止穴２３は、図５、図９、図１０及び図１４に示すように、係止スリット２２に比較すれば短いものであり、取付金具４０に設けた係止突起４２の、係止穴２３内への挿入と、ある程度の範囲内の移動と、係止穴２３に対する係止が行えるようにするものである。
【００３１】
このような係止穴２３が係止スリット２２の近傍に形成してあれば、各取付金具４０によるデッキ材３０の一方の側面３１の固定を行ってから当該デッキ材３０を所定位置まで移動させた後に、デッキ材３０の他方の面の側面３１の別の取付金具４０による固定が行えることになる。しかも、各係止穴２３は係止スリット２２に比較すれば短いものであるから、一本の受け部２１について当該係止穴２３と係止スリット２２とを形成しても、受け部２１の、デッキ材３０支承のための強度を低下させることは殆どない。
【００３２】
なお、この係止穴２３に対する取付金具４０の固定方法や移動方法、デッキ材３０の他方の側面３１に対する取付金具４０の固定方法は、上述した請求項１で説明した係止スリット２２の場合と同様である。
【００３３】
従って、この請求項２に係るウッドデッキ１００は、上記請求項１のそれと同様な機能を発揮する他、デッキ材３０の両側面３１における取付金具４０による固定を、より一層効果的に行えるものとなっているのである。
【００３４】
さらに、上記課題を解決するために、請求項３に係る発明の採った手段は、上記請求項１または請求項２に記載のウッドデッキ１００について、
「根太２０の一本について受け部２１を複数形成するとともに、一つの受け部２１について係止スリット２２を形成し、他の受け部２１上面については係止穴２３を形成したこと」
である。
【００３５】
根太２０の一本について受け部２１を複数形成するのは、一つの受け部２１に請求項１のウッドデッキ１００で採用していた係止スリット２２を形成し、他の受け部２１に請求項１のウッドデッキ１００では採用していなかった係止穴２３を形成したいからであり、各係止穴２３を採用するようにしたのは、各受け部２１に係止スリット２２を複数形成すると、根太２０自体の強度が弱くなる可能性があるからである。
【００３６】
つまり、各係止スリット２２は、図５に示すように、互いに近接し合った長いものであるから、このような係止スリット２２を多数受け部２１に形成することは、根太２０の強度を弱くする可能性があるからである。各係止穴２３は、請求項２の説明で述べたように、係止スリット２２に比較すれば短いものであり、取付金具４０に設けた係止突起４２の、係止穴２３内への挿入と、ある程度の範囲内の移動と、係止穴２３に対する係止が行えるようにするものである。
【００３７】
また、各係止穴２３の形状については、取付金具４０の挿入及び係止が行えるのであればどのような形状であっても構わないものであり、後述する実施形態で例示するような挿入切欠２３ａを有するもの（図１４の（ａ）参照）は勿論、この挿入切欠２３ａを有さない直線状のもの（図１４の（ｃ）参照）でも、また三角形状（図１４の（ｂ）参照）のものであってもよいものである。
【００３８】
さて、最初のデッキ材３０を壁２００に近接させて施工する場合、請求項１に係るウッドデッキ１００において説明したように、壁２００から引き離しておいたデッキ材３０と壁２００との間に開口している係止スリット２２内に取付金具４０を差し込んで９０度回転させてから、この取付金具４０の基部４１を壁２００に向かっているデッキ材３０の側面３１に、釘６０などを使用して固定するのである。この取付金具４０の壁２００近傍でのセット及び固定作業、つまりハンマーの振り下ろしやドライバーの回転操作は、対象となっているデッキ材３０と壁２００との間に十分な空間が存在しているから、十分行える。
【００３９】
根太２０との連結を行っている取付金具４０のデッキ材３０に対する固定が済めば、デッキ材３０全体を壁２００に近接させるのである。このとき、各取付金具４０の係止突起４２が各根太２０側の係止スリット２２内に係合したままの状態になっていて、各取付金具４０が各根太２０から外れること、及び飾り板５０の固定は、当該デッキ材３０の取付作業の前に行っておくことは前述した通りである。
【００４０】
最初のデッキ材３０を壁２００に近接させると、デッキ材３０の壁２００とは反対側の側面３１の外側に係止穴２３が現れる。そこで、当該反対側側面３１と根太２０との連結を、係止穴２３に係合させた取付金具４０により行う。この係止穴２３に対する取付金具４０の係止作業や、反対側側面３１に対する取付金具４０の固定作業は、当該側面３１がデッキ材３０の幅分壁２００から離れているため、容易に行えることは当然である。
【００４１】
２番目のデッキ材３０の取付を行うには、図８の（ａ）に示すように、この２番目のデッキ材３０を最初のデッキ材３０から少し離した状態にしておいて壁２００側の側面３１への取付金具４０の固定を行い、これが済んだときに当該２番目のデッキ材３０を最初のデッキ材３０に近接させ、反対側側面３１に対する係止穴２３を利用した取付金具４０の固定作業を行えばよい。以下、所定の枚数になるだけデッキ材３０の根太２０に対する固定を行う。
【００４２】
なお、一本の根太２０に二本以上の受け部２１があって、一方の受け部２１に係止スリット２２が形成してあって、他方の受け部２１に係止穴２３が形成してある場合には、取付金具４０の挿入位置を、係止スリット２２と係止穴２３とに交互に分けると良い。何故なら、二枚のデッキ材３０の間で、各取付金具４０が重ならないから、デッキ材３０の間に大きな隙間を形成しなくて済むからである。しかしながら、取付金具４０自体は薄く形成したものであるから、２枚の取付金具４０が両デッキ材３０の間で重なったとしても、それ程大きな問題とはならない。
【００４３】
さて、特定のデッキ材３０の交換を行いたい場合には、壁２００とは反対側端部にあるデッキ材３０から順に、壁２００とは反対側に移動させ、特定のデッキ材３０に至るまでその操作を繰り返す。特定のデッキ材３０の周囲に十分な空間ができれば、各取付金具４０の取り外しを行って特定のデッキ材３０の交換を行えば、デッキ材３０の交換作業が容易に行えることは、前述した請求項１に係るウッドデッキ１００の場合と同様である。
【００４４】
従って、この請求項３に係るウッドデッキ１００は、壁２００脇に対するデッキ材３０の取付が容易になっているし、傷んだデッキ材３０の交換をも簡単に行えるものとなっているだけでなく、取付金具４０を係止した状態でデッキ材３０の移動が行える係止スリット２２と、固定だけを目的とした係止穴２３とを採用したから、根太２０の受け部２１の剛性を十分確保できるものとなっている。
【００４５】
さらに、上記課題を解決するために、請求項４に係る発明の採った手段は、上記請求項１〜請求項３のいずれかに記載のウッドデッキ１００について、
「係止スリット２２の一部に、取付金具４０の係止突起４３が挿入できる挿入切欠２２ａを形成したこと」
である。
【００４６】
この請求項４に係るウッドデッキ１００の根太２０では、例えば図５、図１０、及び図１４に示すように、その受け部２１に形成してある係止スリット２２の一部に、取付金具４０の係止突起４３が挿入できる挿入切欠２２ａが形成してある。
【００４７】
挿入切欠２２ａは、これが形成してある係止スリット２２の幅が各取付金具４０の係止突起４２の両端間の寸法よりも小さくても、各取付金具４０における両係止突起４２の係止スリット２２内への挿入を、係止スリット２２の長さ方向に回転させることなく行えるようにするものであり、各デッキ材３０の取付金具４０を使用した根太２０に対する固定を容易にするものである。
【００４８】
換言すれば、各取付金具４０の係止スリット２２内への挿入操作が、取付金具４０の基部４１がデッキ材３０の側面３１と平行になったままでも、係止突起４２が挿入切欠２２ａ内を通ることによって行えるのであり、各係止スリット２２に形成した挿入切欠２２ａは、各デッキ材３０の根太２０に対する固定作業をより一層簡単にするものである。そのために、各挿入切欠２２ａが係止スリット２２の端部側に形成してあれば、取付金具４０を側面３１に固定した後のデッキ材３０の移動距離を十分取ることができるから、より好ましい。
【００４９】
従って、この請求項４に係るウッドデッキ１００は、上記請求項１〜請求項３のそれと同様な機能を発揮する他、挿入切欠２２ａが存在している係止スリット２２に対する取付金具４０の挿入を容易にしていて、デッキ材３０の根太２０に対する固定作業をより一層容易なものとしているのである。
【００５０】
上記課題を解決するために、請求項５に係る発明の採った手段は、上記請求項２〜請求項４のいずれかに記載のウッドデッキ１００について、
「係止穴２３の一部に、取付金具４０の係止突起４３が挿入できる挿入切欠２３ａを形成したこと」
である。
【００５１】
この請求項５に係るウッドデッキ１００の根太２０では、例えば図５、図１０、及び図１４に示すように、その受け部２１に形成してある係止穴２３の一部に、取付金具４０の係止突起４３が挿入できる挿入切欠２３ａが形成してある。
【００５２】
挿入切欠２３ａは、これが形成してある係止穴２３の幅が各取付金具４０の係止突起４２の両端間の寸法よりも小さくても、各取付金具４０における両係止突起４２の係止穴２３内への挿入を、回転させることなく行えるようにするものであり、各デッキ材３０の取付金具４０を使用した根太２０に対する固定を容易にするものである。
【００５３】
換言すれば、各取付金具４０の係止穴２３内への挿入操作が、取付金具４０の基部４１がデッキ材３０の側面３１と平行になったままでも、係止突起４２が挿入切欠２３ａ内を通ることによって行えるのであり、各係止穴２３に形成した挿入切欠２３ａは、各デッキ材３０の根太２０に対する固定作業をより一層簡単にするものである。そのために、各挿入切欠２３ａが係止穴２３の端部側に形成してあれば、取付金具４０を側面３１に固定した後のデッキ材３０の移動距離を十分取ることができるから、より好ましい。
【００５４】
従って、この請求項５に係るウッドデッキ１００は、上記請求項２〜請求項４のそれと同様な機能を発揮する他、挿入切欠２３ａが存在している係止穴２３に対する取付金具４０の挿入を容易にしていて、デッキ材３０の根太２０に対する固定作業をより一層容易なものとしているのである。
【００５５】
そして、請求項６に係る発明の採った手段は、上記請求項１〜請求項５のいずれかに記載のウッドデッキ１００について、
「取付金具４０の基部４１の一部に、デッキ材３０の側面に固定される金具固定部４３を設けたこと」
である。
【００５６】
すなわち、この請求項６のウッドデッキ１００では、使用されるべき各取付金具４０が金具固定部４３を有していて、この金具固定部４３をデッキ材３０の側面３１側に直接打ち込むことにより、当該取付金具４０のデッキ材３０に対する固定が行えるようにしたものである。
【００５７】
具体的には、図１３に示すように、各取付金具４０の基部４１の一部に金具固定部４３を一体化するようにするのであるが、この金具固定部４３は基部４１に対してほぼ直交したものであるとよい。何故なら、当該取付金具４０がデッキ材３０の側面３１に固定されたときに、金具固定部４３が側面３１内に完全に侵入した状態になっていた方が、各デッキ材３０の根太２０に対する固定を効果的に行えるようにするからである。勿論、金具固定部４３を側面３１内に侵入させるには、取付金具４０の基部４１をハンマー等で側面３１側に打ち付ければよく、釘６０等が全く不要になっていることは言うまでもない。
【００５８】
この金具固定部４３は、基部４１とほぼ直交していさえすれば、どのような形状であってもよいが、図１３の（ｂ）に示すように、基部４１の上部を単に折曲して金具固定部４３とするのが最も簡便な方法である。勿論、この金具固定部４３はデッキ材３０の側面３１内に侵入させなければならないから、図１３の（ｃ）に示すように、先を尖らせておくのがよい。
【００５９】
従って、この請求項６に係るウッドデッキ１００は、上記請求項１〜請求項５のそれとどうような機能を発揮する他、取付金具４０の金具固定部４３を利用することによって、釘やネジを不要とした取付金具４０の取り付けが行えるのである。
【発明の効果】
【００６０】
以上、説明した通り、本発明においては、
「土台１０上に渡された根太２０に多数のデッキ材３０を取付金具４０によって取り付けたウッドデッキ１００であって、
根太２０を、各デッキ材３０を受承する受け部２１を有したものとして金属板によって形成するとともに、この受け部２１上面に係止スリット２２を形成し、
取付金具４０を、デッキ材３０の側面３１に固定される平板状の基部４１と、この基部４１の下部に連続的に形成されて、根太２０の係止スリット２２に係合する係止突起４２とを有したものとしたこと」
にその構成上の特徴があり、これにより、
壁２００の直近までデッキ材３０を配置する施工を行うことができて、かつ傷んだデッキ材３０の交換をも簡単に行うことのできるウッドデッキ１００を、簡単な構成によって提供することができるのである。
【図面の簡単な説明】
【００６１】
【図１】本発明に係るウッドデッキ１００を壁２００の近傍に設置した状態を示す部分斜視図である。
【図２】同ウッドデッキ１００の平面図である。
【図３】同ウッドデッキ１００の縦断面図である。
【図４】同ウッドデッキ１００を構成している根太２０に直交する方向からみた断面図である。
【図５】図２の１−１線に沿ってみた図であり、（ａ）は根太２０が一本の受け部２１を有する場合の部分拡大図、（ｂ）は根太２０が二本の受け部２１を有する場合の部分拡大図である。
【図６】図４の２−２線に沿ってみた図であり、（ａ）は根太２０が一本の受け部２１を有する場合の部分拡大図、（ｂ）は根太２０が二本の受け部２１を有する場合の部分拡大図である。
【図７】壁２００近傍のデッキ材３０の施工を行う場合の説明図であり、（ａ）は平面図、（ｂ）は縦断面図である。
【図８】図７に示した次の施工を行う場合の説明図であり、（ａ）は二枚目のデッキ材３０を施工する場合の平面図、（ｂ）は三枚目のデッキ材３０を施工する場合の縦断面図である。
【図９】同ウッドデッキ１００を構成している土台１０上の根太２０とデッキ材３０との関係を示す斜視図である。
【図１０】同ウッドデッキ１００において採用されている係止スリット２２と係止穴２３とを示す根太２０の部分斜視図である。
【図１１】同ウッドデッキ１００の係止スリット２２と係止穴２３の端部を示す部分拡大斜視図である。
【図１２】同ウッドデッキ１００において使用している取付金具４０の一例を示すもので、（ａ）は正面図、（ｂ）は側面図である。
【図１３】同ウッドデッキ１００において使用している取付金具４０の他の例を示すもので、（ａ）は正面図、（ｂ）は側面図、（ｃ）は平面図である。
【図１４】同ウッドデッキ１００において採用される係止穴２３を示すもので、（ａ）は挿入切欠２３ａを有する場合の平面図、（ｂ）は三角形状の挿入切欠２３ａを有する場合の平面図、（ｃ）は挿入切欠２３ａを有さない場合の平面図である。
【図１５】特許文献１に示された技術を示す部分拡大断面図である。
【発明を実施するための形態】
【００６２】
次に、上記のように構成した各請求項に係る発明を、図面に示した実施の形態に係るウッドデッキ１００について説明するが、この実施形態のウッドデッキ１００は、上記各請求項に係る発明の全てを含むものである。
【００６３】
図１には、施工が完了した本発明に係るウッドデッキ１００の斜視図が示してあるが、このウッドデッキ１００は、壁２００に近接して施工されていて、引き戸２１０を開けば家屋内から当該ウッドデッキ１００上に直接出られるようにしているものである。なお、このウッドデッキ１００は、そのデッキ材３０の周囲を飾り板５０によって囲むようにしているが、この飾り板５０は必ずしも必要なものではなく、飾り板５０がない状態でウッドデッキ１００とされることもあるものである。
【００６４】
このウッドデッキ１００を施工するには、図１〜図４、及び図７〜図９に示したように、施工場所に土台１０を設置するが、この土台１０としては、複数の根太２０を水平に支持できるものであれば、何であっても構わない。なお、この実施形態の土台１０は、図７にも示したように、筋交いを使用して補強してある。
【００６５】
本実施形態の根太２０は、金属板をプレス加工して形成したもので、例えば、図５及び図６に示したように、一本の受け部２１を有する場合と、複数の受け部２１を有する場合がある。この受け部２１は、その上面にて後述する各デッキ材３０を直接的に受承するものであり、当該上面は他の受け部２１のそれと共働して一つの水平面を構成するものである。勿論、この金属製の根太２０は、図６等に示したように、ボルトナット２４を使用して土台１０側に取り付けられるものである。
【００６６】
デッキ材３０を直接的に受承する各受け部２１には、後述する係止スリット２２が単独で形成される場合（図９参照）、係止スリット２２と後述する係止穴２３とが交互に形成される場合（図５の（ｂ）参照）、係止スリット２２と係止穴２３とが同時に形成される場合（図５の（ａ）参照）があるが、何れの場合も、少なくとも係止スリット２２が形成される。
【００６７】
受け部２１に形成される各係止スリット２２は、図５の（ａ）、図７及び図９に示したように、デッキ材３０の幅程度の長さを有するもので、これが形成されない部分を置いて受け部２１上に多数かつ直線状に配列されるものである。この係止スリット２２の長さは、デッキ材３０の幅程度にする必要性がなくて自由に設定できるのであるが、この係止スリット２２の長さ範囲内でデッキ材３０に固定した後述する取付金具４０を移動させたときに、ハンマーやドライバーの操作が行えるのであれば十分である。一般的なデッキ材３０は２０ｃｍ〜３０ｃｍ程度の幅を有するものであって、この長さ範囲内であればハンマーやドライバーの操作が行えるから、各係止スリット２２をデッキ材３０の幅程度の長さを有したものとしておけば、一枚のデッキ材３０について、取付金具４０による根太２０側への連結と移動を効果的に行えることになる。
【００６８】
また、受け部２１に形成される各係止スリット２２をデッキ材３０の幅程度の長さを有したものとするとともに、これが形成されていない部分を置いて直線状に配置すれば、各受け部２１のデッキ材３０を支承するための剛性を係止スリット２２を形成したことによって損なうことがないから、好ましいことになる。勿論、各係止スリット２２そのものの幅については、後述する板状の取付金具４０の挿入ができるものであれば十分である。
【００６９】
さらに、これら各係止スリット２２の端部両側に、図５及び図１０にも示したように、挿入切欠２２ａを形成することがある。これらの挿入切欠２２ａは、図１０に示したように、後述する取付金具４０の係止突起４２を、当該取付金具４０の基部４１が係止スリット２２の長さ方向に直交した状態のままで挿入できるようにするものであり、取付金具４０の固定作業をより容易にするためのものである。
【００７０】
一方、受け部２１に形成される係止穴２３は、図５及び図６にも示すように、上述した係止スリット２２より短くしたものであり、当該係止穴２３に取付金具４０の係止突起４２を係止させたまま、この取付金具４０の移動を長い範囲で行うことを想定していないものである。また、この係止穴２３については、図１０等に示したように、係止スリット２２側の挿入切欠２２ａと同様な機能を期待する挿入切欠２３ａを形成することもある。
【００７１】
この係止穴２３については、図１４の（ａ）に示したように、実施形態に係るような挿入切欠２３ａを有するものの他、図１４の（ｂ）に示したように、三角形状の挿入切欠２３ａを有するもの、あるいは、図１４の（ｃ）に示したように、挿入切欠２３ａを有さない単純な「スリット状」を有するものが適用される。
【００７２】
さて、上述した根太２０が一本の受け部２１を有する場合には、これに係止スリット２２のみを連続して形成する他、図５及び図６の各（ａ）に示したように、係止スリット２２の端部近傍に係止穴２３をも形成することがなされる。一本の受け部２１に係止スリット２２のみを形成する場合は、一つの係止スリット２２を使用して一枚のデッキ材３０の両側を二つの取付金具４０によって固定しなければならないから、この係止スリット２２の長さをデッキ材３０の幅の２倍にしておくとよい。
【００７３】
一本の受け部２１に係止スリット２２と係止穴２３を形成する場合は、図５及び図６の（ａ）に示したように、係止スリット２２の長さをデッキ材３０の幅程度にするとともに、この係止スリット２２の端部近傍に係止穴２３を形成するとよい。この場合には、一つの係止スリット２２に係合させた取付金具４０によってデッキ材３０の一方の側面３１を固定してから当該デッキ材３０を移動させ、これによって露出してきた係止穴２３（次の係止スリット２２の近傍に形成してあるもの）に、取付金具４０によってデッキ材３０の他の側面３１の固定を行うのである。
【００７４】
根太２０が複数の受け部２１を有する場合は、図５及び図６の各（ｂ）、あるいは図７〜図１１に示したように、一方の受け部２１に係止スリット２２を形成しておき、他の受け部２１に係止穴２３を形成すればよい。この場合には、上記各係止スリット２２及び係止穴２３を効果的に使用することができ、特に、壁２００にデッキ材３０を近接させる場合、施工を容易にするものである。この場合には、各係止スリット２２及び係止穴２３に、図１０に示したような挿入切欠２２ａ及び２３ａが形成してあれば、取付金具４０によるデッキ材３０の根太２０に対する固定作業を効率的に行える。
【００７５】
ところで、デッキ材３０は、所謂「無垢材」を採用して形成されることが多いが、本実施形態で採用しているデッキ材３０は、所謂間伐材を使用した心材の表面に化粧材を貼付して形成したもので、間伐材の利用を図るようにしたものである。勿論、両側面３１（当該デッキ材３０の長さ方向に沿う面）にも化粧材を貼付してある。
【００７６】
以上のデッキ材３０を根太２０に固定するための取付金具４０は、図１０〜図１３に示したように、種々なタイプのものが採用されるが、基本的には、図１２に示したように、デッキ材３０の側面３１に固定される平板状の基部４１と、この基部４１の下部に連続的に形成されて、根太２０の係止スリット２２に係合する係止突起４２とを有したものであって、平板状のものである。
【００７７】
各取付金具４０の基部４１は、これを釘６０やネジによってデッキ材３０の側面３１に固定する場合には、図１２に示したように、これに釘穴４４が形成されるものである。しかしながら、図１３に示したように、この基部４１に金具固定部４３を積極的に形成して釘穴４４を省略し、当該基部４１をハンマー等でデッキ材３０の側面３１に打ち付けるようにすることにより、金具固定部４３を側面３１内に侵入させて、当該取付金具４０によりデッキ材３０の根太２０への固定が行えるように実施してもよい。
【００７８】
係止突起４２は、基部４１と同一面内にて左右に突出するものとして形成したものであり、根太２０に形成してある係止スリット２２または係止穴２３から挿入されて、これらの係止スリット２２または係止穴２３の裏面側に係止されることになるものである。ここで、係止スリット２２または係止穴２３が挿入切欠２２ａまたは２３ａを有さない場合には、当該取付金具４０は、係止スリット２２または係止穴２３に対してその長さ方向と平行になるようにして係止スリット２２または係止穴２３内に挿入され、各係止突起４２が係止スリット２２または係止穴２３内に完全に入ってから９０度回転するのである。そうすれば、各係止突起４２と基部４１との間にある「頸部」に受け部２１が係合するから、当該取付金具４０の根太２０に対する係止がなされ、かつ係止スリット２２または係止穴２３内でのある程度の移動が許容されることになる。
【００７９】
これに対して、係止スリット２２または係止穴２３が挿入切欠２２ａまたは２３ａを有する場合には、当該取付金具４０は、基部４１をデッキ材３０の側面３１に平行にしたまま、係止スリット２２または係止穴２３内に挿入される。つまり、この場合の取付金具４０は、各係止突起４２が係止スリット２２または係止穴２３内に完全に入ってから９０度回転させる必要のないものであり、基部４１をデッキ材３０の側面３１に平行にしたまま挿入しても各係止突起４２と基部４１との間にある「頸部」に受け部２１を係合し得るのである。
【産業上の利用可能性】
【００８０】
以上のような本発明に係るウッドデッキ１００は、所謂「日曜大工製品」としても採用できるものであり、販売店の一つの商品アイテムとすることができて、販売店の売り上げ向上を図ることができるものでもある。
【００８１】
また、このウッドデッキ１００では、間伐材を使用したデッキ材３０をその部品として構成することができるため、処理に困っている間伐材の商品としての利用範囲を広げることもできるものである。
【符号の説明】
【００８２】
１００    ウッドデッキ
１０    土台
２０    根太
２１    受け部
２２    係止スリット
２２ａ  挿入切欠
２３    係止穴
２３ａ  挿入切欠
２４    ボルトナット
３０    デッキ材
３１    側面
４０    取付金具
４１    基部
４２    係止突起
４３    金具固定部
４４    釘穴
５０    飾り板
６０    釘
２００    壁
２１０    引き戸
【図１】
2011099242.tif 000003
【図２】
2011099242.tif 000004
【図３】
2011099242.tif 000005
【図４】
2011099242.tif 000006
【図５】
2011099242.tif 000007
【図６】
2011099242.tif 000008
【図７】
2011099242.tif 000009
【図８】
2011099242.tif 000010
【図９】
2011099242.tif 000011
【図１０】
2011099242.tif 000012
【図１１】
2011099242.tif 000013
【図１２】
2011099242.tif 000014
【図１３】
2011099242.tif 000015
【図１４】
2011099242.tif 000016
【図１５】
2011099242.tif 000017